(57)【要約】【課題】  ライニングユニットを配置する際に、一度に運ぶフレームの重量を小さくすることを目的とする。【解決手段】  トイレ空間の壁面に面して収納空間を形成し、この収納空間に配管設備を収容するライニングユニットであって、ライニングユニットは、トイレ空間に固定されるフレームと、そのフレームの前面に取り付けられる前面パネルと、そのフレームの上面に取り付けられる上面パネルと、を有し、フレームはその中央部を構成する中央枠と、この中央枠にその右方から組付けられる右枠と、この中央枠にその左方から組み付けられる左枠とを備え、中央枠の上辺を構成する上フレーム及び下辺を構成する下フレームは少なくとも後面が開口されて、この開口に右枠及び左枠の上辺を構成する上フレーム及び下辺を構成する下フレームが挿入されることを特徴とする。【選択図】  図５
2018168542.tif 000002
【特許請求の範囲】
【請求項１】
トイレ空間の壁面に面して収納空間を形成し、この収納空間に配管設備を収容するライニングユニットであって、
前記ライニングユニットは、トイレ空間に固定されるフレームと、そのフレームの前面に取り付けられる前面パネルと、そのフレームの上面に取り付けられる上面パネルと、を有し、
フレームはその中央部を構成する中央枠と、この中央枠にその右方から組付けられる右枠と、この中央枠にその左方から組み付けられる左枠とを備え、
前記中央枠の上辺を構成する上フレーム及び下辺を構成する下フレームは少なくとも後面が開口されて、この開口に前記右枠及び前記左枠の上辺を構成する上フレーム及び下辺を構成する下フレームが挿入されることを特徴とする。
【請求項２】
前記中央枠の上辺を構成する前記上フレームは、前面と上面に加え、後面と下面の一部から形成されて、前記右枠及び前記左枠の上辺を構成する前記上フレームは、前面と上面から形成されることを特徴とする請求項１に記載のライニングユニット。
【発明の詳細な説明】
【技術分野】
【０００１】
本発明は、トイレ空間の壁面に面して収納空間を形成し、この収納空間に配管設備を収納するライニングユニットに関する。
【背景技術】
【０００２】
従来から、公共施設の複数の便器が連接される現場においては、便器と接続される給水配管や排水配管等の配管設備を収納し、その前面に便器を取り付けたライニングユニットが知られている。
このライニングユニットにおいては、トイレ空間の壁面若しくは床面に固定されたフレームと、このフレームの前面および上面に配置される前面パネルと上面パネルとを備えており、その内部に配管設備の収納空間が形成されている。
【０００３】
このフレームを、その中央部を構成する中央枠と、この中央枠にその右方から摺動可能に組みつけられた右枠と、中央枠にその左方から摺動可能に組みつけられた左枠としている技術が開示され、間口方向の現場寸法に対応している。（例えば特許文献１参照。）
【先行技術文献】
【特許文献】
【０００４】
【特許文献１】実開平３−６３４６７号公報
【発明の概要】
【発明が解決しようとする課題】
【０００５】
しかしながら、右枠及び左枠を左右方向から摺動させて、間口方向の現場寸法に対応させるためには、中央枠に対して右枠及び左枠を組みつけてから、ライニングユニットを配置するべき所定の場所に運ぶ必要があり、一人で施工するには一度に運ぶフレームの重量が大きいためフレームの施工性に関して問題があった。
【課題を解決するための手段】
【０００６】
上記の課題を解決するために、本発明においては、トイレ空間の壁面に面して収納空間を形成し、この収納空間に配管設備を収容するライニングユニットであって、ライニングユニットは、トイレ空間に固定されるフレームと、そのフレームの前面に取り付けられる前面パネルと、そのフレームの上面に取り付けられる上面パネルと、を有し、フレームはその中央部を構成する中央枠と、この中央枠にその右方から組付けられる右枠と、この中央枠にその左方から組み付けられる左枠とを備え、中央枠の上辺を構成する上フレーム及び下辺を構成する下フレームは少なくとも後面が開口されて、この開口に右枠及び左枠の上辺を構成する上フレーム及び下辺を構成する下フレームが挿入されることを特徴とする。
【０００７】
このように構成されたライニングユニットにおいては、後面が開口された中央枠の上辺を構成する上フレーム及び中央枠の下辺を構成する下フレームに対して、右枠及び左枠の上辺を構成する上フレーム及び中央枠の下辺を構成する下フレームが挿入されることによって、右枠及び左枠を中央枠に対して組み付けることができる。
【０００８】
これによって、ライニングユニットを配置するべき所定の場所に中央枠を設置した後に、右枠及び左枠を組み付けることができる。そのため、ライニングユニットを配置する際に、一度に運ぶフレームの重量を小さくすることが可能なため、施工性が向上する。
【０００９】
また、本発明において好ましくは、中央枠の上辺を構成する上フレームは、前面と上面に加え、後面と下面の一部から形成されて、右枠及び左枠の上辺を構成する上フレームは、前面と上面から形成される。
【００１０】
このように構成されたライニングユニットにおいては、後面が一部の箇所で形成されているため、右枠及び左枠をネジ等で固定する前に誤って中央枠から外れてしまう心配がない。また、後面を一部の箇所で形成したことによって、右枠及び左枠が中央枠に組み付けにくくなることを防ぐ為に中央枠の下面が一部しか形成されていない。
【００１１】
これによって、ライニングユニットを配置するべき所定の場所に中央枠を設置した後に、右枠及び左枠を組み付ける際の組み付け易さを損ねることなく、右枠及び左枠が誤って中央枠から外れてしまうことを防止できるため、施工時の安全性が向上する。
【発明の効果】
【００１２】
本発明によれば、ライニングユニットを配置する際に、一度に運ぶフレームの重量を小さくすることが可能なため、施工性が向上する。
【図面の簡単な説明】
【００１３】
【図１】本実施形態に係るライニングユニットの斜視図。
【図２】本実施形態に係るフレーム枠の斜視図。
【図３】本実施形態に係るフレーム枠の要部の側面断面図。
【図４】本実施形態に係るフレーム枠の着脱構造を示す側面断面図。
【図５】図４の上部拡大図。
【図６】変形例に係るフレーム枠の着脱構造を示す側面断面図。
【発明を実施するための形態】
【００１４】
本発明の実施形態に係わるライニングユニットについて、図面を用いて説明する。図１は、本発明の実施形態に係わるライニングユニットの斜視図である。
【００１５】
図１に示すように、本発明の実施形態に係るライニングユニット１は、給水管２、排水管３、通気管４などの配管を支えるフレーム枠５と、フレーム枠５の上面を覆う上面パネル７と、フレーム枠５の前面を覆う前面板としての前面パネル９とからなる。
【００１６】
フレーム枠５はその後部５ａがボルト１１により建物の壁１３に固定されている。フレーム枠５の下部は高さ調整ボルト１５で高さを出し、アンカー（図示せず）で建物の床１７に固定されている。
【００１７】
上面パネル７及び前面パネル９はそれぞれフレーム枠５にネジ止めされており、前面パネル９の前方には、大便器１９や小便器、洗面器などが配設される。
【００１８】
大便器１９の後面には前面パネル９を貫通してフレーム枠５内の各配管とつながる連結管（図示せず）が接続されており、大便器１９はその下部が床１７に固定されている。
【００１９】
図２は、フレーム枠の斜視図である。
フレーム枠５は、その幅方向中央部を構成する中央枠２１と、この中央枠２１にその右方から組みつけられた右枠２３と、中央枠２１にその左方から組みつけられた左枠２５とからなる。
【００２０】
この中央枠２１は、左右の縦フレーム２１ａ，２１ｂと、これらの縦フレーム２１ａ，２１ｂの上端間を連結する上フレーム２１ｃと、縦フレーム２１ａ，２１ｂの下端間を連結する下フレーム２１ｄと、縦フレーム２１ａ，２１ｂの上部及び高さ方向中間部をそれぞれ後方から平面視コの字状に連結する後フレーム２１ｅ，２１ｆとからなる。この後フレーム２１ｅ，２１ｆには、その後部左右にそれぞれボルトの挿通孔２２が形成されている。
【００２１】
また、左右の縦フレーム２１ａ，２１ｂは、その上部前面間に補強プレート２１ｇが渡されており、その下部前面間にも補強プレート２１ｈが渡されている。補強プレート２１ｈには大便器用連結管の挿通口２１ｉが形成されている。
【００２２】
右枠２３は、その右端部となる縦フレーム２３ａと、この縦フレーム２３ａの上下端から夫々左方へ延びる上フレーム２３ｂ及び下フレーム２３ｃとからなる。
左枠２５は、その左端部となる縦フレーム２５ａと、この縦フレーム２５ａの上下端から夫々右方に延びる上フレーム２５ｂ及び下フレーム２５ｃとからなる。
【００２３】
図３は、フレーム枠の要部の側面断面図である。図３（ａ）は、中央枠及び右枠の上フレームの断面図であり、図３（ｂ）は、中央枠及び右枠の下フレームの断面図である。
【００２４】
中央枠２１の上フレーム２１ｃは、上面２１ｃａ及び前面２１ｃｂに加え、下面の一部２１ｃｃ及び後面の一部２１ｃｄから形成される、Ｃ字形状を有するＣ型溝形鋼で構成されており、下フレーム２１ｄは、上面２１ｄａ、前面２１ｄｂ及び下面２１ｄｃから形成される、凹字形状を有する溝形鋼で構成されている。
【００２５】
右枠２３及び左枠２５の各上フレーム２３ｂ，２５ｂは、上面２３ｂａ，２５ｂａ及び前面２３ｂｂ，２５ｂｂのみから形成される、Ｌ字形状を有する山形鋼で構成されている。上フレーム２３ｂ，２５ｂは、中央枠２１の上フレーム２１ｃにそれぞれネジ２９によって固定されている。
【００２６】
右枠２３及び左枠２５の各下フレーム２３ｃ，２５ｃは、上面２３ｃａ，２５ｃａ、前面２３ｃｂ，２５ｃｂ及び下面２３ｃｃ，２５ｃｃから形成される、凹字形状を有する溝形鋼で構成されている。下フレーム２３ｃ，２５ｃには、中央枠２１の下フレーム２１ｄに高さ調整ボルト１５を挿通するための挿通穴が設けられている。  
【００２７】
右枠２３及び左枠２５の各上フレーム２３ｂ，２５ｂ及び各下フレームを構成する２３ｃ，２５ｃは、中央枠２１の上フレーム２１ｃ及び下フレーム２１ｄに、その両端からそれぞれ左右摺動可能に嵌合している。
【００２８】
図４は、フレーム枠の着脱構造を示す側面断面図である。図５は、図４の上部拡大図である。図６は、フレーム枠の着脱構造を示す側面断面図である。
【００２９】
右枠２３及び左枠２５を中央枠２１に対して装着する為には、まず、図４（ａ）及び図５（ａ）に示すように、中央枠２１の上フレーム２１ｃを構成するＣ型溝形鋼の下面２１ｃｃと後面２１ｃｄが形成されていない開口に対して、右枠２３及び左枠２５の上フレーム２３ｂ，２５ｂを構成する山形鋼を斜め下方から上方に向けて差し込む。
【００３０】
次に、図４（ｂ）及び図５（ｂ）に示すように、山形鋼の前面２３ｂｂ，２５ｂｂの底部をＣ型溝形鋼の下面２１ｃｃに載置させ、右枠２３及び左枠２５の下方を後方へ移動させる。
その後、図４（ｃ）に示すように、中央枠２１の下フレーム２１ｄを構成する溝形鋼にその後方から右枠２３及び左枠２５の下フレーム２３ｃ，２５ｃを構成する溝形鋼を嵌合させることで、右枠２３及び左枠２５を中央枠２１に対して装着することができる。このとき、山形鋼の上面２３ｂａ，２５ｂａがＣ型溝形鋼の後面２１ｃｄに当接することにより、不慮の落下をぼうしすることができる。
【００３１】
以上、本発明の実施の形態について説明した。しかし、本発明はこの記述に限定されるものではない。前述の実施の形態に関して、当業者が適宜設計変更を加えたものも、本発明の特徴を備えている限り、本発明の範囲に包含される。
【００３２】
例えば、図６（ａ）に示すように、中央枠２１の上フレーム２１ｃ及び下フレーム２１ｄが溝形鋼であり、右枠２３及び左枠２５の上フレーム２３ｂ及び２５ｂが山形鋼、右枠２３及び左枠２５の下フレーム２３ｄ及び２５ｄが溝形鋼である場合や、図６（ｂ）に示すように、中央枠２１の上フレーム２１ｃ及び下フレーム２１ｃが溝形鋼であり、右枠２３及び左枠２５の上フレーム及び下フレーム２３ｂ，２５ｂ及び２３ｄ，２５ｄが溝形鋼である場合や、図６（ｃ）に示すように、中央枠２１の上フレーム２１ｃが溝形鋼、下フレーム２１ｄが山形鋼であり、右枠２３及び左枠２５の上フレーム及び下フレーム２３ｂ，２５ｂ及び２３ｄ，２５ｄが溝形鋼である場合も含む。
【符号の説明】
【００３３】
1       ライニングユニット  ２      給水管  ３      配水管
４      通気管  ５      フレーム枠  ７      上面パネル  
９      前面パネル  １１    ボルト  １３    建物の壁
１５    高さ調整ボルト  １７    建物の床  １９    大便器
２１    中央枠  ２１ａ  縦フレーム  ２１ｂ  縦フレーム
２１ｃ  上フレーム（Ｃ型溝形鋼）  ２１ｃａ  上面  ２１ｃｂ  前面
２１ｃｃ  下面  ２１ｃｄ  後面
２１ｄ  下フレーム（溝形鋼）  ２１ｄａ  上面  ２１ｄｂ  前面
２１ｄｃ  下面  ２１ｅ  後フレーム  ２１ｆ  後フレーム
２１ｇ  補強プレート  ２１ｈ  補強プレート  ２１ｉ  挿通口
２２    挿通孔  ２３    右枠  ２３ａ  縦フレーム  
２３ｂ  上フレーム（山形鋼）  ２３ｂａ  上面  ２３ｂｂ  前面
２３ｃ  下フレーム（溝形鋼）  ２３ｃａ  上面  ２３ｃｂ  前面
２３ｃｃ  下面  ２５    左枠  ２５ａ  縦フレーム  
２５ｂ  上フレーム（山形鋼）  ２５ｂａ  上面  ２５ｂｂ  前面
２５ｃ  下フレーム（溝形鋼）  ２５ｃａ  上面  ２５ｃｂ  前面
２５ｃｃ  下面  ２９    ネジ
【図１】
2018168542.tif 000003
【図２】
2018168542.tif 000004
【図３】
2018168542.tif 000005
【図４】
2018168542.tif 000006
【図５】
2018168542.tif 000007
【図６】
2018168542.tif 000008